(57)【要約】【課題】  治療者がタッチパネルに触れたときの放電や振動による違和感（ビリビリ感）や不安感を抑えたり、タッチパネルや液晶表示装置の故障を抑えることができるタッチパネル付の液晶表示装置を実装している電位治療器を得ることを目的とする。【解決手段】  通電マット３上に存在している治療者の接近に伴って、液晶表示装置５に誘起される電圧Ｖを検出する誘起電圧検出回路８を備え、電圧制御回路９が、誘起電圧検出回路８により検出された電圧Ｖが予め設定されている上限電圧Ｖｔｈより高い場合、高電圧発生回路２により発生される高電圧の電圧値を下げる制御を行うように構成する。【選択図】        図１
2015085127.tif 000002
【特許請求の範囲】
【請求項１】
電源電圧又は前記電源電圧から生成される異なる周波数の電圧を昇圧して、昇圧後の電圧である高電圧を発生する電圧発生手段と、
前記電圧発生手段により発生された高電圧が印加される導電電極板が絶縁素材で覆われている通電マットと、
治療器の操作を受け付けるタッチパネルが取り付けられている液晶表示装置と、
前記通電マット上に存在している治療者の接近に伴って、前記液晶表示装置に誘起される電圧を検出する誘起電圧検出回路と、
前記誘起電圧検出回路により検出された電圧が予め設定されている上限電圧より高い場合、前記電圧発生手段により発生される高電圧の電圧値を下げる制御を行う電圧制御回路と
を備えた電位治療器。
【請求項２】
前記電圧制御回路は、前記電圧発生手段により発生される高電圧の電圧値を下げる制御を実施したのち、前記通電マット上に存在している治療者の接近が解除されると、前記電圧発生手段により発生される高電圧の電圧値を下げる制御を解除することを特徴とする請求項１記載の電位治療器。
【請求項３】
前記電圧制御回路と前記液晶表示装置の電気的な絶縁を維持した状態で、前記電圧制御回路と前記液晶表示装置の間でやり取りする信号を送受信する絶縁通信回路を備えたことを特徴とする請求項１または請求項２記載の電位治療器。
【発明の詳細な説明】
【技術分野】
【０００１】
この発明は、治療者（患者）の体に高電圧を与えて電位治療を施す電位治療器に関するものである。
【背景技術】
【０００２】
例えば、以下の特許文献１，２，３に開示されている電位治療器は、高電圧を発生する高電圧発生回路を備え、その高電圧発生回路により発生された高電圧を治療者に与えることで、電位治療を施すようにしている。
これらの電位治療器の中には、現在、治療者に与えている電圧値や治療経過時間などの各種の情報を表示するための出力（表示）装置が設けられているのが一般的であり、当該表示装置として、液晶表示装置が実装されているものがある。
ただし、治療器の操作を受け付けるタッチパネルが液晶表示装置に取り付けられている電位治療器は存在しておらず、治療器の操作は、例えば、本体に取り付けられている操作スイッチ（例えば、押しボタン、回転スイッチなど）で行われるのが一般的である。
【０００３】
例えば、家電機器などでは、液晶表示装置の表示内容を見ながら操作が可能であるなどの多くのメリットがあるため、タッチパネルが取り付けられている液晶表示装置を実装しているものが広く普及している。
しかし、電位治療器は、高電圧発生回路を備えている特殊性があるため、タッチパネルが取り付けられている液晶表示装置を実装した場合、高電圧が与えられている治療中の治療者（治療中の治療者には、最大で、高電圧発生回路により発生された高電圧と同等の電位が誘導されている）がタッチパネルに触れると、治療者とタッチパネル（液晶表示装置）間の電位差によって放電や振動（バイブレーション）が発生することがある。
このような放電や振動の発生は、治療者に違和感（ビリビリした感覚）や不安感を与えたり、タッチパネルや液晶表示装置の故障を招くおそれがあるため、液晶表示装置が設置されている位置と異なる位置に配置されて絶縁されている操作スイッチで操作が行われるのが一般的である。
【先行技術文献】
【特許文献】
【０００４】
【特許文献１】特許第４２４６６７４号公報
【特許文献２】特許第４５０８７４４号公報
【特許文献３】特開２０００−１８９５２５号公報
【発明の概要】
【発明が解決しようとする課題】
【０００５】
従来の電位治療器は以上のように構成されているので、液晶表示装置の表示内容を見ながら直接液晶画面上で操作が可能であるなどの多くのメリットを有するタッチパネルを液晶表示装置に取り付けることができないなどの課題があった。
【０００６】
この発明は上記のような課題を解決するためになされたもので、治療者がタッチパネルに触れても放電や振動の発生を抑えることができるタッチパネル付の液晶表示装置を実装している電位治療器を得ることを目的とする。
【課題を解決するための手段】
【０００７】
この発明に係る電位治療器は、電源電圧又は電源電圧から生成される異なる周波数の電圧を昇圧して、昇圧後の電圧である高電圧を発生する電圧発生手段と、その電圧発生手段により発生された高電圧が印加される導電電極板が絶縁素材で覆われている通電マットと、治療器の操作を受け付けるタッチパネルが取り付けられている液晶表示装置と、その通電マット上に存在している治療者の接近に伴って、その液晶表示装置に誘起される電圧を検出する誘起電圧検出回路とを備え、電圧制御回路が、その誘起電圧検出回路により検出された電圧が予め設定されている上限電圧より高い場合、その電圧発生手段により発生される高電圧の電圧値を下げる制御を行うようにしたものである。
【０００８】
この発明に係る電位治療器は、電圧発生手段により発生される高電圧の電圧値を下げる制御を実施したのち、通電マット上に存在している治療者の接近が解除されると、電圧制御回路が、その電圧発生手段により発生される高電圧の電圧値を下げる制御を解除するようにしたものである。
【０００９】
この発明に係る電位治療器は、電圧制御回路と液晶表示装置の電気的な絶縁を維持した状態で、その電圧制御回路と液晶表示装置の間でやり取りする信号を送受信する絶縁通信回路を備えるようにしたものである。
【発明の効果】
【００１０】
この発明によれば、治療者がタッチパネルに触れても放電や振動の発生を抑えることができるタッチパネル付の液晶表示装置を実装している電位治療器を得ることができる効果がある。
【図面の簡単な説明】
【００１１】
【図１】この発明の実施の形態１による電位治療器を示す構成図である。
【図２】この発明の実施の形態２による電位治療器を示す構成図である。
【発明を実施するための形態】
【００１２】
実施の形態１．
図１はこの発明の実施の形態１による電位治療器を示す構成図である。
図１において、電源回路１は商用電源と接続され、その商用電源から供給される例えば１００Ｖの電源電圧を高電圧発生回路２に出力する回路である。
高電圧発生回路２は電源回路１から出力された電源電圧を電位治療に必要な電圧（例えば、実効値で３００Ｖ〜９０００Ｖ）まで昇圧し、昇圧後の電圧である高電圧を発生する回路である。
ここでは、高電圧発生回路２が電源回路１から出力された電源電圧を昇圧するものを想定しているが、その電源電圧から生成される異なる周波数の電圧を昇圧するようにしてもよい。
なお、電源回路１及び高電圧発生回路２から電圧発生手段が構成されている。
【００１３】
高電圧発生回路２による高電圧の発生方法は特に問わないが、一般的にはトランス昇圧方式を用いることができる。
トランス昇圧方式では、高電圧発生回路２がトランスを実装し、そのトランスの１次側に数十Ｖから１００Ｖ程度の交流電圧波形を入力すれば、そのトランスの２次側から９０００Ｖ以下の高電圧を発生させることができる。
なお、高電圧発生回路２は、出力電流を所定の基準電流以下に抑える電流制限抵抗を実装しており、その電流制限抵抗を介して、発生した高電圧を通電マット３に出力する。
【００１４】
通電マット３は高電圧発生回路２により発生された高電圧が印加される導電電極板が絶縁素材で覆われているマットであって、通電マット３は電位治療を受ける治療者の下に敷かれる。
通電マット３の導電電極板としては、例えば、カーボン布やカーボン繊維などを用いて造られているカーボン電極を用いることができる。
通電マット３の絶縁素材としては、例えば、塩化ビニールなどを用いることができる。
なお、導電電極板を絶縁素材でサンドイッチして、外周を耐圧処理したものが通電マット３となり、内部の導電電極板と治療者を絶縁することによって、安全に治療者に高電位を付加して電位治療を行うことができる。
絶縁シート４は通電マット３と床の間に敷かれ、通電マット３からアースに流れる電流を遮断するシートである。絶縁シート４は治療者へ印加する電圧の低下を抑えるために使用され、絶縁シート４の材料としては、加工し易い塩化ビニールなどが使用される。
【００１５】
液晶表示装置５は現在治療者に与えられている電圧値や治療経過時間などの各種の情報を表示する装置である。液晶表示装置５は、例えば、ドットマトリクス方式の液晶表示器、その液晶表示器を駆動するマイコン、記憶装置、コントロール回路、バックライト回路などから構成されているユニット装置である。
また、液晶表示装置５はタッチパネル６から出力された電気信号（治療者の接触位置を示す座標情報）を上記のコントロール回路に伝達するコントロールＩＣも実装している。
タッチパネル６は治療器の操作を受け付けるマンマシンインタフェースであり、液晶表示装置５の表面に取り付けられている。
即ち、タッチパネル６は、液晶表示装置５の表面に取り付けられる薄い透明のパネルであり、例えば、治療者がタッチパネル６の表面を指先で触れると、その触れた位置のＸ座標とＹ座標を示す電気信号を液晶表示装置５内のコントロールＩＣに出力する処理を実施する。
【００１６】
誘起電圧検出回路８は抵抗７を介して液晶表示装置５と接続されており、通電マット３上に存在している治療者の接近に伴って、液晶表示装置５に誘起される電圧を検出する回路である。
電圧制御回路９は誘起電圧検出回路８により検出された電圧が予め設定されている上限電圧より高い場合、高電圧発生回路２により発生される高電圧の電圧値を下げる制御を実施する（高電圧の電圧値を下げる制御には、高電圧の出力を停止する制御も含まれる）。
また、電圧制御回路９は高電圧発生回路２により発生される高電圧の電圧値を下げる制御を実施したのち、通電マット３上に存在している治療者の接近が解除されることで、治療者がタッチパネル６を操作しているときにタッチパネル６から出力される操作信号がなくなった場合に、その操作信号がなくなってから一定時間後に、高電圧発生回路２により発生される高電圧の電圧値を下げる制御を解除する（低下前の電圧値まで上げる制御を実施する）。
【００１７】
絶縁通信回路１０は電圧制御回路９と液晶表示装置５の電気的な絶縁を維持した状態で、電圧制御回路９と液晶表示装置５の間でやり取りする信号を送受信する回路である。
電圧制御回路９から液晶表示装置５に送信する信号としては、例えば、高電圧発生回路２により発生されている高電圧の電圧値を示す信号が考えられ、液晶表示装置５は当該信号を受信することで、高電圧発生回路２により発生されている高電圧の電圧値を表示することができる。
液晶表示装置５から電圧制御回路９に送信する信号としては、例えば、タッチパネル６で受け付けられた高電圧の設定電圧値や、治療時間の設定時間などを示す信号が考えられ、さらに、タッチパネル６が操作中であることを示す操作信号が考えられる。電圧制御回路９は当該信号を受信することで、高電圧発生回路２により発生されている高電圧の電圧値や、高電圧の出力時間などを制御することができる。
なお、電源回路１、高電圧発生回路２、液晶表示装置５、タッチパネル６、誘起電圧検出回路８、電圧制御回路９等を筐体に収める形で本体装置が形成される。本体装置は例えば据え置き型の筐体で構成される。
【００１８】
次に動作について説明する。
電源回路１は、商用電源と接続されており、商用電源から供給される例えば１００Ｖの電源電圧を高電圧発生回路２に出力する。
高電圧発生回路２は、電源回路１から電源電圧を受けると、その電源電圧を電位治療に必要な電圧（例えば、実効値で３００Ｖ〜９０００Ｖ）まで昇圧し、昇圧後の電圧（以下、「高電圧」と称する）を発生する。
高電圧発生回路２は、高電圧を発生すると、その高電圧を通電マット３に出力するが、例えば、薬事法では、治療者の安全を確保する目的で、治療者に高電圧を与える際の漏れ電流（例えば、治療器から治療者を通じてグランドに流れる電流）を或る基準値以下に抑えることが規定されているので、内部に実装している電流制限抵抗を介して、発生した高電圧を通電マット３に出力する。
【００１９】
通電マット３は、内部の導電電極板と、その導電電極板を覆っている絶縁素材とから構成されており、通電マット３の導電電極板には、高電圧発生回路２から出力された高電圧が印加される。
治療者は、電位治療を受ける際に、高電圧が印加されている通電マット３の上に乗るので（図１の例では、治療者が通電マット３の上に立っているが、着座や寝ている状態でもよい）、治療者の体には高電位が与えられる。
なお、通電マット３と床の間には絶縁シート４が敷かれ、また、通電マット３の導電電極板が絶縁素材で覆われているので、通電マット３からアースに流れる電流が遮断され、治療者へ印加する電圧の低下が抑えられている。
【００２０】
この実施の形態１では、液晶表示装置５の表面にタッチパネル６が取り付けられているので、治療者は、液晶表示装置５の表示内容を見ながら、タッチパネル６で治療器の操作（例えば、治療器のＯＮ／ＯＦＦ、高電圧の電圧値の可変、治療時間の設定など）等を行うことができ、操作性や利便性に優れる。
しかし、治療者の体には高電位が与えられているので（治療中の治療者には、最大で、高電圧発生回路２により発生された高電圧と同等の電位が誘導されている）、後述する誘起電圧検出回路８や電圧制御回路９を実装していなければ、治療者がタッチパネル６に触れると、治療者とタッチパネル６（液晶表示装置５）間の電位差によって放電や振動（バイブレーション）が発生することがあるが、この実施の形態１では、誘起電圧検出回路８や電圧制御回路９を実装しているので、放電や振動（バイブレーション）の発生を防止することができる。
【００２１】
誘起電圧検出回路８は、電源回路１と絶縁状態にある液晶表示装置５に印加されている電圧を検知するものであり、通電マット３上に存在している治療者の接近に伴って、液晶表示装置５に誘起される電圧Ｖを検出する。
治療中の治療者には、上述したように、最大で、高電圧発生回路２により発生された高電圧と同等の電位が誘導されているので、治療者が手をタッチパネル６に近づけていくと、治療者が実際にタッチパネル６に触れる前の段階から、液晶表示装置５に印加される電圧が徐々に上昇する。
【００２２】
電圧制御回路９は、誘起電圧検出回路８が液晶表示装置５に誘起されている電圧Ｖを検出すると、その電圧Ｖと予め設定されている上限電圧Ｖｔｈを比較する。
上限電圧Ｖｔｈは、治療中の治療者がタッチパネル６に手を近づけていない場合の電圧より高く、治療中の治療者が実際にタッチパネル６に触れている場合の電圧より低い電圧に設定されている（放電などによる不快感を受け難い条件や、放電による装置の故障などが生じ難い条件などで適宜決定される）。
電圧制御回路９は、誘起電圧検出回路８により検出された電圧Ｖが上限電圧Ｖｔｈより高い場合（Ｖ≧Ｖｔｈ）、高電圧発生回路２により発生される高電圧の電圧値を下げるための制御信号を高電圧発生回路２に出力する。高電圧の電圧値を下げる制御の中には、高電圧の発生を停止する制御も含まれる。
高電圧発生回路２は、電圧制御回路９から高電圧の電圧値を下げるための制御信号を受けると、現在通電マット３に印加している高電圧の電圧値を下げる（あるいは、高電圧の発生を停止する）ように動作する。
この動作によって、治療者とタッチパネル６間の電位差が低下するため、治療中の治療者がタッチパネル６に触れても、治療者の指先での放電や振動の発生を抑えることができる。
【００２３】
電圧制御回路９は、高電圧発生回路２が高電圧の電圧値を下げた後、治療者がタッチパネル６を操作しているときに、タッチパネル６から出力される操作信号を常時監視して、タッチパネル６から操作信号が出力されなくなったときに操作が終了したと判断し、その操作信号が出力されなくなってから一定時間が経過した後（例えば、１秒後）、高電圧発生回路２により発生される高電圧の電圧値を元の電圧に戻すための制御信号を高電圧発生回路２に出力する。
【００２４】
高電圧発生回路２は、電圧制御回路９から高電圧の電圧値を元の電圧に戻すための制御信号を受けると、現在通電マット３に印加している高電圧の電圧値を低下前の電圧値まで上げるように動作する。
この動作によって、治療者の体には高電位が与えられるようになるので、電位治療を継続することができる。
なお、治療者の体に与えられる高電位が一時的に低下しても、その期間が短ければ、治療の効果上、特に大きな問題はない。
【００２５】
絶縁通信回路１０は、電圧制御回路９と液晶表示装置５の間でやり取りする信号を送受信する機能を備えている。
例えば、電圧制御回路９が、現在、高電圧発生回路２が発生している高電圧の電圧値、電圧波形、周波数などを示すリアルタイムの信号を出力すると、絶縁通信回路１０が当該信号を液晶表示装置５に送信する。
液晶表示装置５は当該信号を受信することで、高電圧発生回路２により発生されている高電圧の電圧値、電圧波形、周波数などを表示する。
また、例えば、液晶表示装置５がタッチパネル６で受け付けられた高電圧の設定電圧値や、治療時間の設定時間などを示す操作信号を出力すると、絶縁通信回路１０が当該操作信号を電圧制御回路９に送信する。
電圧制御回路９は、当該操作信号を受信することで、高電圧発生回路２により発生されている高電圧の電圧値や、高電圧の出力時間などを制御する。
【００２６】
以上で明らかなように、この実施の形態１によれば、通電マット３上に存在している治療者の接近に伴って、液晶表示装置５に誘起される電圧Ｖを検出する誘起電圧検出回路８を備え、電圧制御回路９が、誘起電圧検出回路８により検出された電圧Ｖが予め設定されている上限電圧Ｖｔｈより高い場合、高電圧発生回路２により発生される高電圧の電圧値を下げる制御を行うように構成したので、治療者がタッチパネル６に触れても、治療者とタッチパネル６との間の電位差による放電や振動の発生を抑えることができるようになり、その結果、タッチパネル６付の液晶表示装置５を実装することができる効果を奏する。
【００２７】
実施の形態２．
上記実施の形態１では、絶縁通信回路１０が、電圧制御回路９と液晶表示装置５の電気的な絶縁を維持した状態で、電圧制御回路９と液晶表示装置５の間でやり取りする信号を送受信する例を示し、液晶表示装置５に対する電力の供給については特に言及していないが、例えば、図２に示すように、１次側が電源回路１と接続され、２次側が液晶表示装置５と接続されている絶縁トランス２０を実装し、その絶縁トランス２０が、電源回路１、高電圧発生回路２及び電圧制御回路９と液晶表示装置５の電気的な絶縁を維持した状態で、液晶表示装置５に電力を供給するようにしてもよい。
【００２８】
なお、絶縁通信回路１０は、電圧制御回路９と液晶表示装置５の電気的な絶縁を維持した状態で、信号を送受信することができればよく、例えば、信号の送信側の構成要素を発光素子（例えば、発光ダイオード）、信号の受信側の構成要素を受光素子（例えば、フォトトランジスタ）として、絶縁通信回路１０を構成してもよい。
また、Ｂｌｕｅｔｏｏｔｈ(登録商標)やＷｉ−Ｆｉなどの無線通信規格を利用した通信方式で、信号を送受信することもできる。
【００２９】
上記実施の形態１，２では、本体装置に設けられる液晶表示装置５部分での誘起電圧を検出し、高電圧発生回路２から発生させる電圧を制御するものを例として説明したが、上記説明と同様の概念で、本体装置のその他の部分（例えば、本体装置に設けられる各種の接続端子部分付近など）若しくは全体において誘起電圧を検出し、治療者へ印加する電圧を制御するようにすることもできる。また、上記実施の形態１，２では、治療者がタッチパネルから離れた場合に、高電圧発生回路２により発生される高電圧の電圧値を低下前の電圧に戻すものを例として説明したが、必ずしも「低下前の電圧に戻す」ものに限るものではなく、電圧値を下げる制御を解除するものであればよい。
【符号の説明】
【００３０】
１  電源回路（電圧発生手段）
２  高電圧発生回路（電圧発生手段）
３  通電マット
４  絶縁シート
５  液晶表示装置
６  タッチパネル
７  抵抗
８  誘起電圧検出回路
９  電圧制御回路
１０  絶縁通信回路
２０  絶縁トランス
【図１】
2015085127.tif 000003
【図２】
2015085127.tif 000004